(57)【要約】【課題】ＲＦＩＤアンテナを金属製のチェックアウトカウンターの天板の上面に設置した場合であっても、買い物かごが不安定にならず、操作者の作業性を悪くすること無く会計操作を行うことが可能な、買い物かごを置くためのかご置き台を提供すること。【解決手段】買い物かごの中の商品に付されたＲＦＩＤタグと通信可能なＲＦＩＤアンテナを囲う形状に構成され、前記買い物かごを載置可能に構成される。【選択図】図８
2018101190.tif 000002
【特許請求の範囲】
【請求項１】
買い物かごの中の商品に付されたＲＦＩＤタグと通信可能なＲＦＩＤアンテナを囲う形状に構成され、
前記買い物かごを載置可能に構成される、
ことを特徴とするかご置き台。
【請求項２】
前記ＲＦＩＤアンテナは、チェックアウトカウンターに載置される、ことを特徴とする請求項１に記載のかご置き台。
【請求項３】
前記ＲＦＩＤアンテナは、板状の形状である、ことを特徴とする請求項１または２に記載のかご置き台。
【請求項４】
前記かご置き台は、複数の部品で構成される、ことを特徴とする請求項１乃至３の何れか１項に記載のかご置き台。
【発明の詳細な説明】
【技術分野】
【０００１】
本発明は、ＲＦＩＤ（Radio Frequency Identifier）タグの情報を読み取る読取装置を備えたＰＯＳ（Point Of Sales）システムに好適な、買い物かごを置くためのかご置き台に関する。
【背景技術】
【０００２】
従来、商品の決済処理を行うＰＯＳシステムが存在する。ＰＯＳシステムは、小売店等における取引の会計処理に用いられるシステムである。ＰＯＳシステムは、例えば、ＰＯＳサーバとＰＯＳ装置とがネットワークを介して通信可能に接続されて構成されている。
【０００３】
ＰＯＳサーバは、ＰＯＳシステムを統括的に管理するサーバである。ＰＯＳサーバは、ネットワークを介してＰＯＳ装置と情報の送受信を行う。ＰＯＳサーバは、ＰＯＳ装置の情報、店員等の操作者の情報、販売商品等の情報を保持する。
【０００４】
図１は、第１の従来例のＰＯＳ装置の概要を説明するための図である。
第１の従来例のＰＯＳ装置は、販売商品の会計処理を行う装置である。会計操作は、例えば、商品の登録操作、商品の精算操作などの操作を含む。ＰＯＳ装置は、図１に示すようなＰＯＳ端末１１、不図示のＰＯＳ制御装置、不図示の読取装置、および図１に示すようなＲＦＩＤアンテナ１２を備える。
【０００５】
ＰＯＳ端末１１は、チェックアウトカウンター２０の天板に載置され、各種の情報を入力したり、情報を画面に表示したりする。
【０００６】
ＰＯＳ制御装置は、例えばチェックアウトカウンター２０の内部２１に格納される。ＰＯＳ制御装置は、通信ケーブル１３を介してＲＦＩＤアンテナ１２と通信可能に接続される。
【０００７】
読取装置は、通信ケーブル１３を介してＲＦＩＤアンテナ１２と接続され、買い物かごの中の各商品に付されているＲＦＩＤタグから商品情報をＲＦＩＤアンテナ１２により一括で読み取る。操作者は、読取装置で読み取られた商品情報に基づいてＰＯＳシステムによる決済処理を行う。
【０００８】
ＲＦＩＤアンテナ１２は、例えば、縦２０ｃｍ、横２０ｃｍ、高さ（厚さ）１５ｍｍの板状の形状をしている。図１に示すように、ＲＦＩＤアンテナ１２は、チェックアウトカウンター２０の天板の下部に設置されている。チェックアウトカウンター２０の天板の上面にＲＦＩＤアンテナ１２を設置すると、商品を中に入れた買い物かごをチェックアウトカウンターの天板に置いた場合、買い物かごが不安定になるからであり、操作者の操作の邪魔になるからである。このように、ＲＦＩＤアンテナ１２をチェックアウトカウンター２０の天板の下部に設置することができれば、操作者の作業性は悪くならない。
【０００９】
ただし、これは、チェックアウトカウンター２０が、または少なくともチェックアウトカウンター２０の天板が木材等の素材で出来ていることが必要となる。例えば、チェックアウトカウンター２０が金属で出来ていた場合には、金属が電波を遮ってしまうので、ＲＦＩＤアンテナ１２が各商品に付されているＲＦＩＤタグから商品情報を読み取ることが出来なくなる。
【００１０】
図２は、第２の従来例のＰＯＳ装置の概要を説明するための図である。
図２に示した第２の従来例のＰＯＳ装置は、図１に示した第１の従来例のＰＯＳ装置と同様に、図２に示すようなＰＯＳ端末１１、不図示のＰＯＳ制御装置、不図示の読取装置、および図２に示すようなＲＦＩＤアンテナ１２を備える。ただし、第２の従来例のＰＯＳ装置は、第１の従来例のＰＯＳ装置と異なり、ＲＦＩＤアンテナ１２がチェックアウトカウンター２０の天板の上面に設置されている。これは、チェックアウトカウンター２０が、または少なくともチェックアウトカウンター２０の天板が金属で出来ていることに起因している。
【００１１】
また、容器の底面の凹部と嵌合して容器の位置を決める位置決め部と、凹部が嵌合されたときに容器の中にある読み取るべき商品に付したＲＦＩＤタグを読み取るＲＦＩＤリーダとを備えたＲＦＩＤタグ読み取り装置が開示されている（例えば、特許文献１参照。）。
【先行技術文献】
【特許文献】
【００１２】
【特許文献１】特開２００９−２５１６２９号公報
【発明の概要】
【発明が解決しようとする課題】
【００１３】
上述したように、チェックアウトカウンター２０が、または少なくともチェックアウトカウンター２０の天板が金属で出来ている場合、金属は電波を遮ってしまうので、ＲＦＩＤアンテナ１２をチェックアウトカウンター２０の天板の下部に設置すると、ＲＦＩＤアンテナ１２が各商品に付されているＲＦＩＤタグから商品情報を読み取ることが出来なくなる。そこで、ＲＦＩＤアンテナ１２がＲＦＩＤタグから商品情報を読み取ることが出来るようにするため、図２に示したようにＲＦＩＤアンテナ１２をチェックアウトカウンター２０の天板の上面に設置することが考えられる。
【００１４】
図３および図４は、第２の従来例のＰＯＳ装置の問題点を説明するための図である。
図３および図４に示したように、ＲＦＩＤアンテナ１２を金属製のチェックアウトカウンター２０の天板の上面に設置すると、買い物かご３０が不安定になり、ＲＦＩＤアンテナ１２が操作者の操作の邪魔になり操作者の作業性が悪くなる、という問題点があった。このような場合には、操作者が買い物かご３０の中から商品を取り出し、ＲＦＩＤアンテナ１２にＲＦＩＤタグを翳す必要がある、という問題点があった。また、洋服などの商品の場合、ＲＦＩＤタグを翳す作業を行った後に洋服を畳んだり、袋に収納したりする際にＲＦＩＤアンテナが邪魔になる、という問題点があった。
【００１５】
本発明は、上述のような実状に鑑みたものであり、ＲＦＩＤアンテナを金属製のチェックアウトカウンターの天板の上面に設置した場合であっても、買い物かごが不安定にならず、操作者の作業性を悪くすること無く会計操作を行うことが可能な、買い物かごを置くためのかご置き台を提供することを目的とする。
【課題を解決するための手段】
【００１６】
本発明は、上記課題を解決するため、下記のような構成を採用した。
すなわち、本発明の一態様によれば、本発明のかご置き台は、買い物かごの中の商品に付されたＲＦＩＤタグと通信可能なＲＦＩＤアンテナを囲う形状に構成され、前記買い物かごを載置可能に構成されることを特徴とする。
【００１７】
また、本発明のかご置き台は、前記ＲＦＩＤアンテナが、チェックアウトカウンターに載置されることが望ましい。
【００１８】
また、本発明のかご置き台は、前記ＲＦＩＤアンテナが、板状の形状であることが望ましい。
【００１９】
また、本発明のかご置き台は、複数の部品で構成されることが望ましい。
【発明の効果】
【００２０】
本発明によれば、ＲＦＩＤアンテナを金属製のチェックアウトカウンターの天板の上面に設置した場合であっても、買い物かごが不安定にならず、操作者の作業性を悪くすること無く会計操作を行うことが出来る、という効果を奏する。
【図面の簡単な説明】
【００２１】
【図１】第１の従来例のＰＯＳ装置の概要を説明するための図である。
【図２】第２の従来例のＰＯＳ装置の概要を説明するための図である。
【図３】第２の従来例のＰＯＳ装置の問題点を説明するための図（その１）である。
【図４】第２の従来例のＰＯＳ装置の問題点を説明するための図（その２）である。
【図５】第１の実施の形態のＰＯＳ装置の概要を説明するための図（その１）である。
【図６】第１の実施の形態のＰＯＳ装置の概要を説明するための図（その２）である。
【図７】第１の実施の形態のＰＯＳ装置の概要を説明するための図（その３）である。
【図８】第１の実施の形態のかご置き台を示す図である。
【図９】第２の実施の形態のＰＯＳ装置の概要を説明するための図（その１）である。
【図１０】第２の実施の形態のＰＯＳ装置の概要を説明するための図（その２）である。
【図１１】第２の実施の形態のかご置き台を示す図である。
【図１２】第３の実施の形態のＰＯＳ装置の概要を説明するための図（その１）である。
【図１３】第３の実施の形態のＰＯＳ装置の概要を説明するための図（その２）である。
【図１４】第３の実施の形態のかご置き台を示す図である。
【図１５】第４の実施の形態のＰＯＳ装置の概要を説明するための図（その１）である。
【図１６】第４の実施の形態のＰＯＳ装置の概要を説明するための図（その２）である。
【図１７】第４の実施の形態のかご置き台を示す図である。
【図１８】第５の実施の形態のＰＯＳ装置の概要を説明するための図（その１）である。
【図１９】第５の実施の形態のＰＯＳ装置の概要を説明するための図（その２）である。
【図２０】第５の実施の形態のかご置き台を示す図である。
【図２１】第６の実施の形態のＰＯＳ装置の概要を説明するための図（その１）である。
【図２２】第６の実施の形態のＰＯＳ装置の概要を説明するための図（その２）である。
【図２３】第６の実施の形態のかご置き台を示す図である。
【発明を実施するための形態】
【００２２】
以下、本発明の実施の形態について、図面を参照しながら詳細に説明する。
図５、図６、図７は、第１の実施の形態のＰＯＳ装置の概要を説明するための図である。図８は、第１の実施の形態のかご置き台を示す図である。
【００２３】
図５乃至図８を用いて、第１の実施の形態について説明する。
第１の実施の形態のＰＯＳ装置は、上述した第１の従来例のＰＯＳ装置、第２の従来例のＰＯＳ装置と同様、販売商品の会計処理を行う装置である。ＰＯＳ装置は、図５乃至７に示すようなＰＯＳ端末１１、不図示のＰＯＳ制御装置、不図示の読取装置、および図５に示すようなＲＦＩＤアンテナ１２を備える。
【００２４】
ＰＯＳ端末１１は、チェックアウトカウンター２０の天板に載置され、各種の情報を入力したり、情報を画面に表示したりする。
【００２５】
ＰＯＳ制御装置は、例えばチェックアウトカウンター２０の内部２１に格納される。ＰＯＳ制御装置は、通信ケーブル１３を介してＲＦＩＤアンテナ１２と通信可能に接続される。
【００２６】
読取装置は、通信ケーブル１３を介してＲＦＩＤアンテナ１２と接続され、買い物かご３０の中の各商品に付されているＲＦＩＤタグから商品情報をＲＦＩＤアンテナ１２により一括で読み取る。操作者は、読取装置で読み取られた商品情報に基づいてＰＯＳシステムによる決済処理を行う。
【００２７】
ＲＦＩＤアンテナ１２は、例えば、縦２０ｃｍ、横２０ｃｍ、高さ（厚さ）１５ｍｍの板状の形状をしている。図５に示すように、ＲＦＩＤアンテナ１２は、チェックアウトカウンター２０の天板の上面に設置されている。
【００２８】
図５に示すように、かご置き台１００は、ＲＦＩＤアンテナ１２を覆うようにチェックアウトカウンター２０の上面に載置される。
【００２９】
かご置き台１００は、電波を遮らない素材を使用しているので、ＲＦＩＤアンテナ１２は各商品に付されているＲＦＩＤタグから商品情報を読み取ることが出来る。
【００３０】
かご置き台１００は、ＲＦＩＤアンテナ１２を囲う形状に構成されているので、図６に示すように、ＲＦＩＤアンテナ１２を覆い、チェックアウトカウンター２０の上面に安定して載置される。
【００３１】
また、かご置き台１００は、図７に示すように、例えば、縦３４ｃｍ、横４６ｃｍ、高さ（厚さ）２０ｍｍの板状の形状に構成され、買い物かご３０を載置可能である。かご置き台１００とＲＦＩＤアンテナ１２は、一体構造とすることが可能である。
【００３２】
図９、図１０は、第２の実施の形態のＰＯＳ装置の概要を説明するための図である。図１１は、第２の実施の形態のかご置き台を示す図である。
【００３３】
図９乃至図１１を用いて、第２の実施の形態について説明する。
第２の実施の形態のＰＯＳ装置は、上述した第１の実施の形態のＰＯＳ装置と同様であり、ＰＯＳ装置が備えるＰＯＳ端末１１、ＰＯＳ制御装置、読取装置、およびＲＦＩＤアンテナ１２と同様であるので、詳細な説明は省略する。
【００３４】
図１０に示すように、かご置き台１１０は、ＲＦＩＤアンテナ１２の外周を囲うようにしてチェックアウトカウンター２０の上面に安定して載置される。
【００３５】
また、かご置き台１１０は、図９乃至図１１に示すように、例えば、外縁が縦３４ｃｍ、横４６ｃｍ、内縁が縦２０ｃｍ、横２０ｃｍ、高さ（厚さ）２０ｍｍの四角いドーナッツ型の板状の形状に構成される。かご置き台１１０は、買い物かご３０を載置可能である。かご置き台１１０とＲＦＩＤアンテナ１２は、一体構造とすることが可能である。
【００３６】
図１２、図１３は、第３の実施の形態のＰＯＳ装置の概要を説明するための図である。図１４は、第３の実施の形態のかご置き台を示す図である。
【００３７】
図１２乃至図１４を用いて、第３の実施の形態について説明する。
第３の実施の形態のＰＯＳ装置は、上述した第１の実施の形態のＰＯＳ装置と同様であり、ＰＯＳ装置が備えるＰＯＳ端末１１、ＰＯＳ制御装置、読取装置、およびＲＦＩＤアンテナ１２と同様であるので、詳細な説明は省略する。
【００３８】
図１３に示すように、かご置き台１２０は、ＲＦＩＤアンテナ１２の２辺の外縁に接するようにしてチェックアウトカウンター２０の上面に安定して載置される。
【００３９】
また、かご置き台１２０は、図１２乃至図１４に示すように、例えば、外縁が縦３４ｃｍ、横４６ｃｍ、内縁が縦２０ｃｍ、横２０ｃｍ、高さ（厚さ）２０ｍｍのＬ字型の板状の形状に構成される。かご置き台１２０は、買い物かご３０を載置可能である。かご置き台１２０とＲＦＩＤアンテナ１２は、一体構造とすることが可能である。
【００４０】
図１５、図１６は、第４の実施の形態のＰＯＳ装置の概要を説明するための図である。図１７は、第４の実施の形態のかご置き台を示す図である。
【００４１】
図１５乃至図１７を用いて、第４の実施の形態について説明する。
第４の実施の形態のＰＯＳ装置は、上述した第１の実施の形態のＰＯＳ装置と同様であり、ＰＯＳ装置が備えるＰＯＳ端末１１、ＰＯＳ制御装置、読取装置、およびＲＦＩＤアンテナ１２と同様であるので、詳細な説明は省略する。
【００４２】
図１６に示すように、かご置き台１３０は、ＲＦＩＤアンテナ１２の３辺の外縁に接するようにしてチェックアウトカウンター２０の上面に安定して載置される。
【００４３】
また、かご置き台１３０は、図１５乃至図１７に示すように、例えば、外縁が縦３４ｃｍ、横４６ｃｍ、内縁が縦２７ｃｍ、横２０ｃｍ、高さ（厚さ）２０ｍｍの凹字型の板状の形状に構成される。かご置き台１３０は、買い物かご３０を載置可能である。かご置き台１３０とＲＦＩＤアンテナ１２は、一体構造とすることが可能である。
【００４４】
図１８、図１９は、第５の実施の形態のＰＯＳ装置の概要を説明するための図である。図２０は、第５の実施の形態のかご置き台を示す図である。
【００４５】
図１８乃至図２０を用いて、第５の実施の形態について説明する。
第５の実施の形態のＰＯＳ装置は、上述した第１の実施の形態のＰＯＳ装置と同様であり、ＰＯＳ装置が備えるＰＯＳ端末１１、ＰＯＳ制御装置、読取装置、およびＲＦＩＤアンテナ１２と同様であるので、詳細な説明は省略する。
【００４６】
図１８に示すように、かご置き台１４０は、第１の部品１４１、第２の部品１４２、第３の部品１４３、および第４の部品１４４から構成される。第１の部品１４１および第３の部品１４３は、例えば上底２０ｃｍ、下底４６ｃｍ、高さ７ｃｍの台形形状であり、第２の部品１４２および第４の部品１４４は、例えば上底２０ｃｍ、下底３４ｃｍ、高さ１３ｃｍの台形形状である。
【００４７】
図１９に示すように、第１の部品１４１、第２の部品１４２、第３の部品１４３、および第４の部品１４４が勘合されることにより構成されたかご置き台１４０は、ＲＦＩＤアンテナ１２の外周を囲うようにしてチェックアウトカウンター２０の上面に安定して載置される。
【００４８】
また、かご置き台１４０は、図１８乃至図２０に示すように、例えば、外縁が縦３４ｃｍ、横４６ｃｍ、内縁が縦２０ｃｍ、横２０ｃｍ、高さ（厚さ）２０ｍｍの四角いドーナッツ型の板状の形状に構成される。かご置き台１４０は、買い物かご３０を載置可能である。かご置き台１４０とＲＦＩＤアンテナ１２は、一体構造とすることが可能である。
【００４９】
図２１、図２２は、第６の実施の形態のＰＯＳ装置の概要を説明するための図である。図２３は、第６の実施の形態のかご置き台を示す図である。
【００５０】
図２１乃至図２３を用いて、第６の実施の形態について説明する。
第６の実施の形態のＰＯＳ装置は、上述した第１の実施の形態のＰＯＳ装置と同様であり、ＰＯＳ装置が備えるＰＯＳ端末１１、ＰＯＳ制御装置、読取装置、およびＲＦＩＤアンテナ１２と同様であるので、詳細な説明は省略する。
【００５１】
図２１に示すように、かご置き台１５０は、第１の部品１５１、第２の部品１５２、第３の部品１５３、および第４の部品１５４から構成される。第１の部品１５１および第３の部品１５３は、例えば縦７ｃｍ、横３３ｃｍの長方形形状であり、第２の部品１５２および第４の部品１５４は、例えば縦１３ｃｍ、横２７ｃｍの長方形形状である。
【００５２】
図２２に示すように、第１の部品１５１、第２の部品１５２、第３の部品１５３、および第４の部品１５４が勘合されることにより構成されたかご置き台１５０は、ＲＦＩＤアンテナ１２の外周を囲うようにしてチェックアウトカウンター２０の上面に安定して載置される。
【００５３】
また、かご置き台１５０は、図２１乃至図２３に示すように、例えば、外縁が縦３４ｃｍ、横４６ｃｍ、内縁が縦２０ｃｍ、横２０ｃｍ、高さ（厚さ）２０ｍｍの四角いドーナッツ型の板状の形状に構成される。かご置き台１５０は、買い物かご３０を載置可能である。かご置き台１５０とＲＦＩＤアンテナ１２は、一体構造とすることが可能である。
【００５４】
以上、本発明の実施の形態を、図面を参照しながら説明してきたが、上述してきた本発明の実施の形態は、上述の実施の形態に限定されるものではなく、本発明の要旨を逸脱しない範囲内で種々の構成または形状を取ることができる。
【符号の説明】
【００５５】
１１      ＰＯＳ端末
１２      ＲＦＩＤアンテナ
１３      通信ケーブル
２０      チェックアウトカウンター
２１      内部
３０      買い物かご
１００    かご置き台
１１０    かご置き台
１２０    かご置き台
１３０    かご置き台
１４０    かご置き台
１４１    第１の部品
１４２    第２の部品
１４３    第３の部品
１４４    第４の部品
１５０    かご置き台
１５１    第１の部品
１５２    第２の部品
１５３    第３の部品
１５４    第４の部品
【図１】
2018101190.tif 000003
【図２】
2018101190.tif 000004
【図３】
2018101190.tif 000005
【図４】
2018101190.tif 000006
【図５】
2018101190.tif 000007
【図６】
2018101190.tif 000008
【図７】
2018101190.tif 000009
【図８】
2018101190.tif 000010
【図９】
2018101190.tif 000011
【図１０】
2018101190.tif 000012
【図１１】
2018101190.tif 000013
【図１２】
2018101190.tif 000014
【図１３】
2018101190.tif 000015
【図１４】
2018101190.tif 000016
【図１５】
2018101190.tif 000017
【図１６】
2018101190.tif 000018
【図１７】
2018101190.tif 000019
【図１８】
2018101190.tif 000020
【図１９】
2018101190.tif 000021
【図２０】
2018101190.tif 000022
【図２１】
2018101190.tif 000023
【図２２】
2018101190.tif 000024
【図２３】
2018101190.tif 000025